(57)【要約】【課題】利用者の視界の状態に応じてもっとも見やすいであろう画像を表示画面に表示させること。【解決手段】表示画面調整装置１００は、測定部１０１によって受光素子に対して入力された光の成分を測定する。この測定部１０１によって測定された受光素子に対して直接入力された外光の成分と、受光素子に対して所定のフィルタを透過して入力された透過光の成分とを光比較部１０２によって比較する。さらに、特性抽出部１０３によって光比較部１０２による比較結果に基づいて所定のフィルタの特性を抽出する。そして、調整部１０６は、特性抽出部１０３により抽出された所定のフィルタの特性に応じて表示画面１０７における画像の表示調整をおこなう。【選択図】図１
2007248749.tif 000002
【特許請求の範囲】
【請求項１】
画像表示装置に備えられた受光素子により光を検出し、表示画面における画像の表示調整をおこなう表示画面調整装置において、
前記受光素子に対して入力された光の成分を測定する測定手段と、
前記受光素子に対して直接入力された外光の成分の測定結果と、前記受光素子に対して所定のフィルタを透過して入力された透過光の成分の測定結果とを比較する光比較手段と、
前記光比較手段による比較結果に基づいて前記所定のフィルタの特性を抽出する特性抽出手段と、
前記特性抽出手段により抽出された前記所定のフィルタの特性に応じて前記表示画面における画像の表示調整をおこなう調整手段と、
を備えることを特徴とする表示画面調整装置。
【請求項２】
前記特性抽出手段は、
前記光比較手段の比較結果に基づいて前記所定のフィルタの透過率を算出する透過率算出手段を備え、
前記調整手段は、前記透過率算出手段の算出結果に応じて前記表示画面における画像の明るさに関する調整をおこなうことを特徴とする請求項１に記載の表示画面調整装置。
【請求項３】
前記特性抽出手段は、
前記光比較手段の比較結果に基づいて前記所定のフィルタの色を識別する色識別手段を備え、
前記調整手段は、前記色識別手段の識別結果に応じて前記表示画面における画像の配色に関する調整をおこなうことを特徴とする請求項１または２に記載の表示画面調整装置。
【請求項４】
前記所定のフィルタとして減光および偏光の少なくともいずれか一つの機能を有したフィルタを用いることを特徴とする請求項１〜３のいずれか一つに記載の表示画面調整装置。
【請求項５】
前記所定のフィルタとしてサングラスを用いることを特徴とする請求項１〜４のいずれか一つに記載の表示画面調整装置。
【請求項６】
前記測定手段は、前記受光素子に入力された光の成分として輝度を測定することを特徴とする請求項１〜５のいずれか一つに記載の表示画面調整装置。
【請求項７】
前記調整手段は、
前記所定のフィルタの特性に応じて表示調整に関する複数の設定値を生成する生成手段を備え、
前記生成手段によって生成された前記複数の設定値の中から選択された一の設定値を用いて表示調整をおこなうことを特徴とする請求項１〜６のいずれか一つに記載の表示画面調整装置。
【請求項８】
画像表示装置に備えられた受光素子により外光を検出し、表示画面における画像の表示調整をおこなう表示画面調整方法において、
前記受光素子に対して入力された光の成分を測定する測定工程と、
前記受光素子に対して直接入力された外光の成分の測定結果と、前記受光素子に対して所定のフィルタを透過して入力された透過光の成分の測定結果とを比較する光比較工程と、
前記光比較工程による比較結果に基づいて前記所定のフィルタの特性を抽出する特性抽出工程と、
前記特性抽出工程により抽出された前記所定のフィルタの特性に応じて前記表示画面における画像の表示調整をおこなう調整工程と、
を含むことを特徴とする表示画面調整方法。
【請求項９】
請求項８に記載の表示画面調整方法をコンピュータに実行させることを特徴とする表示画面調整プログラム。
【請求項１０】
請求項９に記載の表示画面調整プログラムをコンピュータに読み取り可能に記録した記録媒体。
【発明の詳細な説明】
【技術分野】
【０００１】
この発明は、画像表示装置に備えられた受光素子により光を検出し、表示画面における画像の表示調整をおこなう表示画面調整装置、表示画面調整方法、表示画面調整プログラムおよび記録媒体に関する。ただし、この発明の利用は、前述の表示画面調整装置、表示画面調整方法、表示画面調整プログラムおよび記録媒体に限るものではない。
【背景技術】
【０００２】
従来から、映像ソース部から出力される各種の映像信号を受けて、映像信号を選択または制御して出力する映像信号選択部および映像信号制御部と、この映像信号選択部から出力される映像信号を受けて映像を出力し、複数の映像を複数方向に対して出射する一つの表示面を備える多画面映像表示装置と、を備える映像表示装置が知られている。
【０００３】
この映像表示装置は、さらに操作者が外部から操作をおこなった結果を含む第１の信号を生成し、この第１の信号を多画面映像表示装置または映像信号制御部に対して出力する外部操作部と、外部の状況を検出した結果を含む第２の信号を生成し、この第２の信号を映像信号制御部に対して出力する外部条件入力部とを含んで構成されている。
【０００４】
そして、この映像表示装置は、映像信号制御部が第２の信号に応じて所定の種類の映像信号に対して表示の制限を設ける制御をおこなうことで、外光の強度など外的要因に応じて表示画面の画像を調整することができる構成とされている（たとえば、下記特許文献１参照。）。
【０００５】
【特許文献１】特開２００４−２３３８１６号公報
【発明の開示】
【発明が解決しようとする課題】
【０００６】
しかしながら、上記の特許文献１に記載の従来技術の場合、映像表示装置に備えられた受光素子によって検出された外光の輝度のみを測定し、この測定結果に応じて表示画面のバックライトの輝度を調整して画像の表示調整をおこなっているため、調整後の画像が必ずしも利用者に適した見やすい表示画面にはなっていなかった。
【０００７】
たとえば、表示画面を晴天の屋外で目視する場合や、直射日光が差し込む状況で目視する場合などにこの映像表示装置によっておこなわれる表示調整は、利用者が外光をまぶしく感じてサングラスなどを装着し、外光を減光または偏光させたうえでおこなわれることが多い。このような場合、映像表示装置によって調整した画像は、サングラスを着用した状態の利用者にとっては、輝度が低く、かえって見にくくなってしまう場合があるという問題が一例として挙げられる。
【課題を解決するための手段】
【０００８】
請求項１の発明にかかる表示画面調整装置は、画像表示装置に備えられた受光素子により光を検出し、表示画面における画像の表示調整をおこなう表示画面調整装置において、前記受光素子に対して入力された光の成分を測定する測定手段と、前記受光素子に対して直接入力された外光の成分の測定結果と、前記受光素子に対して所定のフィルタを透過して入力された透過光の成分の測定結果とを比較する光比較手段と、前記光比較手段による比較結果に基づいて前記所定のフィルタの特性を抽出する特性抽出手段と、前記特性抽出手段により抽出された前記所定のフィルタの特性に応じて前記表示画面における画像の表示調整をおこなう調整手段と、を備えることを特徴とする。
【０００９】
また、請求項８の発明にかかる表示画面調整方法は、画像表示装置に備えられた受光素子により外光を検出し、表示画面における画像の表示調整をおこなう表示画面調整方法において、前記受光素子に対して入力された光の成分を測定する測定工程と、前記受光素子に対して直接入力された外光の成分の測定結果と、前記受光素子に対して所定のフィルタを透過して入力された透過光の成分の測定結果とを比較する光比較工程と、前記光比較工程による比較結果に基づいて前記所定のフィルタの特性を抽出する特性抽出工程と、前記特性抽出工程により抽出された前記所定のフィルタの特性に応じて前記表示画面における画像の表示調整をおこなう調整工程と、を含むことを特徴とする。
【００１０】
また、請求項９の発明にかかる表示画面調整プログラムは、請求項８に記載の表示画面調整方法をコンピュータに実行させることを特徴とする。
【００１１】
また、請求項１０の発明にかかる記録媒体は、請求項９に記載の表示画面調整プログラムをコンピュータに読み取り可能に記録したことを特徴とする。
【発明を実施するための最良の形態】
【００１２】
以下に添付図面を参照して、この発明にかかる表示画面調整装置、表示画面調整方法、表示画面調整プログラムおよび記録媒体の好適な実施の形態を詳細に説明する。
【００１３】
（実施の形態）
（表示画面調整装置の機能的構成）
図１を用いて、本実施の形態にかかる表示画面調整装置の機能的構成について説明する。図１は、本実施の形態にかかる表示画面調整装置の機能的構成の一例を示すブロック図である。図１において、表示画面調整装置１００は、測定部１０１と、光比較部１０２と、特性抽出部１０３と、調整部１０６と、表示画面１０７と、を含んで構成されている。
【００１４】
測定部１０１は、受光素子に対して入力された光の成分を測定する。受光素子とは、入力された光を電気信号に変換して出力する素子である。また、受光素子は、その種類や、出力する電気信号の検出方式に応じて光の輝度やスペクトルなど、どのような成分を測定するかを選択することができる。
【００１５】
また、測定部１０１は、表示画面調整をおこなうために受光素子に対して直接入力された外光と、受光素子に対して所定のフィルタを透過して入力された透過光との２種類の光の成分を測定する。外光を測定するには、受光素子から出力された電気信号をそのまま利用し、透過光を測定するには、受光素子の受光面に所定のフィルタをかざし、所定のフィルタを透過した透過光が入力された際に受光素子から出力された電気信号を利用する。
【００１６】
なお、上述のような測定部１０１は、受光素子を一体的に備えた構成であってもよいし、外部の受光素子から出力された電気信号が入力されるような構成であってもよい。
【００１７】
光比較部１０２は、受光素子に対して直接入力された外光の成分の測定結果と、受光素子に対して所定のフィルタを透過して入力された透過光の成分の測定結果とを比較する。ここでいう比較とは、測定部１０１が光の成分として輝度を測定した場合は、たとえば、外光の輝度と透過光の輝度との差や比率などを求めることによりおこなわれる。また、たとえば、測定部１０１が光の成分としてスペクトルを測定した場合は、外光のスペクトルの最大強度の周波数と、透過光のスペクトルの最大強度の周波数とをそれぞれ抽出することによりおこなわれる。
【００１８】
このように、この光比較部１０２では、外光および透過光の成分の測定結果を測定対象に鑑みて比較する。なお、この光比較部１０２は、たとえば後述する特性抽出部１０３においてどのような特性を抽出するかに関連して、測定部１０１の測定結果をどのように扱うかといった処理の内容を適宜変更することもできる。
【００１９】
ここで、所定のフィルタとは、たとえば利用者の視線と表示画面との間に位置するフィルタを意味する。この所定のフィルタは、具体的には、サングラスやゴーグルなど、利用者が外光の光を緩和させるために用いるフィルタであり、減光機能や遮光機能を備えたものである。
【００２０】
特性抽出部１０３は、光比較部１０２による比較結果に基づいて所定のフィルタの特性を抽出する。なお、特性抽出部１０３によって抽出する特性の種類は一様ではなく、複数種類の特性を同時に抽出してもよい。ここでは、特性の一例として、透過率および色を抽出する構成とする。したがって、上述のように、光比較部１０２による比較処理においては、この特性抽出部１０３によって透過率と色とを抽出できるように、外光と透過光との測定結果の比較をおこなう。
【００２１】
ここで上述したように、特性抽出部１０３は、透過率および色の抽出をおこなうために、たとえば透過率算出部１０４と色識別部１０５とを含んで構成されているとよい。以下、透過率算出部１０４および色識別部１０５について説明する。
【００２２】
特性抽出部１０３の透過率算出部１０４は、光比較部１０２の比較結果に基づいて所定のフィルタの透過率を算出する。この透過率算出部１０４は、透過率を算出するために、たとえば、所定のフィルタへ入射される光（すなわち外光）と、所定のフィルタから出射された光（すなわち透過光）との光量の比を求める。
【００２３】
また、特性抽出部１０３の色識別部１０５は、光比較部１０２の比較結果に基づいて所定のフィルタの色を識別する。この色識別部１０５は、色を識別するために、たとえば、測定部１０１によって外光および透過光のそれぞれのＲＧＢ（Ｒｅｄ−Ｇｒｅｅｎ−Ｂｌｕｅ）成分ごとの輝度を求め、各成分の輝度の比を求めることで色を識別する。
【００２４】
このように、特性抽出部１０３は、透過率算出部１０４および色識別部１０５を備えることで、所定のフィルタがどのような透過率で、あるいはどのような色で構成されているかの情報によって定められる所定のフィルタの特性を抽出することができる。
【００２５】
調整部１０６は、特性抽出部１０３により抽出された所定のフィルタの特性に応じて表示画面１０７における画像の表示調整をおこなう。画像の表示調整とは、所定のフィルタの特性に応じて、表示画面１０７に表示させる画像の表示に関する設定値（パラメータ）を選択し、選択した設定値を用いて表示画面１０７に画像を表示するように調整をおこなう処理のことをいう。
【００２６】
なお、画像の表示に関する設定値は、特性抽出部１０３によってどのような特性が抽出されたかにより異なるものであり、上述した例のように透過率と色とを抽出した場合には、表示画面の明るさに関する情報の設定値と表示画面の配色に関する設定値とを用いることができる。また、透過率または色と設定値との対応関係は、あらかじめ対応テーブルを用意して調整部１０６に記録させておいてもよいし、利用者が個別に設定してもよいし、これらを併用するようにしてもよい。透過率または色と設定値との対応関係とは、たとえば、透過率ｘ％であれば、輝度の設定値ｙ、色がグレーであれば配色に関する設定値（たとえば、黄、赤、青の各色のカラーフィルタのオンオフを示す３桁のコマンド値）を背景色は１１１：白、文字色は００１：青とするなどの対応関係を表す。
【００２７】
さらに、調整部１０６は、所定のフィルタの特性に応じて表示調整に関する複数の設定値を生成する生成部（不図示）を備えていてもよい。この場合、生成部によって生成された複数の設定値の中から選択された一の設定値を用いて表示調整をおこなうことも可能である。
【００２８】
なお、複数の設定値の中から一の設定値を選択する手法としては、たとえばあらかじめ選択基準となる条件を設定しておき、調整部１０６によってその条件に基づいて自動的に選択させてもよいし、各設定値を利用者の指定により表示画面１０７に反映させ、利用者にとって見やすい表示画面となる設定値を選択させてもよい。
【００２９】
表示画面１０７は、外部から入力された画像データによって構成されるイメージ画像を表示する。また、調整部１０６によっておこなわれた表示調整に応じて、表示されるイメージ画像の表示状態を適宜変更して表示する。なお、表示画面１０７は、図１のように表示画面調整装置１００に含まれた構成でもよいし、他の装置として独立して構成されていてもよい。他の装置として独立して構成されている場合は、調整部１０６から出力された表示調整に関する設定値を反映して画像データのイメージ画像を表示させる。
【００３０】
（表示画面調整装置の処理の内容）
つぎに、表示画面調整装置の処理の内容について説明する。図２は、本実施の形態にかかる表示画面調整装置の処理の内容の一例を示すフローチャートである。図２のフローチャートにおいて、まず、測定部１０１によって、外光の成分を測定したか否かを判断する（ステップＳ２０１）。ここでいう外光とは、通常の状態で表示画面調整装置１００の受光素子に向けて差し込む環境光を意味する。したがって、たとえば利用者によって表示画面調整装置１００の処理の始動が指示されると即座に測定が可能となり、受光素子からの電気信号の入力の有無を判断の基準として用いることができる。
【００３１】
ステップＳ２０１において、外光の成分が測定されるまで待ち（ステップＳ２０１：Ｎｏのループ）、測定したと判断されると（ステップＳ２０１：Ｙｅｓ）、同じく測定部１０１によって、フィルタ（所定のフィルタ）の透過光の成分を測定したか否かを判断する（ステップＳ２０２）。
【００３２】
ステップＳ２０２でいうフィルタとは、上述したような利用者が表示画面１０７を目視する際に着用するサングラスなどのことであり、利用者が自らサングラスを受光素子にかざすなどの行為をしなければ、測定することができない。したがって、ステップＳ２０２の処理を開始する際には、表示画面１０７を用いて注意文を表示させるようにしたり、または外部の音声出力部（不図示）を介して注意音声を出力させるようにして、利用者に透過光を測定するための準備を喚起させるようにしてもよい。
【００３３】
ステップＳ２０２において、透過光の成分を測定するまで待ち（ステップＳ２０２：Ｎｏのループ）、測定したと判断されると（ステップＳ２０２：Ｙｅｓ）、つぎに、光比較部１０２によって、測定部１０１において測定した外光の成分と透過光の成分とを比較する（ステップＳ２０３）。
【００３４】
そして、ステップＳ２０３の比較結果に基づいて、特性抽出部１０３によってフィルタの特性を抽出する。具体的には、透過率算出部１０４によってフィルタの透過率を算出するとともに（ステップＳ２０４）、色識別部１０５によってフィルタの色を識別する（ステップＳ２０５）。
【００３５】
ステップＳ２０４およびステップＳ２０５によってフィルタの特性が抽出されると、最後に調整部１０６によって、抽出したフィルタの透過率、色に応じて表示調整をおこない（ステップＳ２０６）、本フローチャートによる一連の処理を終了する。
【００３６】
以上説明したように、本実施の形態によれば、表示画面調整装置１００は、利用者が着用しているサングラスなどの所定のフィルタの特性を抽出し、抽出した特性に応じて表示画面の表示調整をおこなうことで、たとえばサングラス着用中の利用者に対してより見やすい状態となるように画像の表示をおこなうことができる。
【００３７】
つぎに、本発明の実施の形態にかかる実施例について詳細に説明する。ここでは、この実施の形態にかかる表示画面調整装置を、たとえば車両（四輪車、二輪車を含む）などの移動体や携帯型電話機などの可搬型端末に搭載されるナビゲーション装置に適用し、利用者（たとえば、運転者や助手席の搭乗者）が、ナビゲーション画面を見る際に、サングラスやゴーグルなどの所定のフィルタを利用しているか、また、利用している場合にどのようなフィルタを利用しているか、などの状況に応じてナビゲーション画面に表示される画像の表示調整をおこなう場合を例示して説明する。
【実施例】
【００３８】
（ナビゲーション装置のハードウェア構成）
まず、本発明の実施例にかかるナビゲーション装置３００のハードウェア構成について説明する。図３は、本発明の実施例にかかるナビゲーション装置のハードウェア構成の一例を示すブロック図である。図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ（インターフェース）３１２と、ディスプレイ３１３と、通信Ｉ／Ｆ（インターフェース）３１４と、ＧＰＳユニット３１５と、各種センサ３１６と、を備えている。なお、各構成部３０１〜３１６はバス３２０によってそれぞれ接続されている。
【００３９】
まず、ＣＰＵ３０１は、ナビゲーション装置３００の全体の制御を司る。ＲＯＭ３０２は、たとえばブートプログラム、経路探索プログラム、経路誘導プログラム、音声生成プログラム、地図情報表示プログラム、通信プログラム、データベース作成プログラム、データ解析プログラム、表示画面調整プログラムなどの各種プログラムを記録している。
【００４０】
経路探索プログラムは、後述する光ディスク３０７に記録されている地図情報などを利用して、出発地から目的地までの最適な経路を探索させる。ここで、最適な経路とは、目的地までの最短（あるいは最速）経路や利用者が指定した条件にもっとも合致する経路などである。この経路探索プログラムを実行することによって探索された誘導経路は、たとえばＣＰＵ３０１を介して音声Ｉ／Ｆ３０８や映像Ｉ／Ｆ３１２へ出力される。
【００４１】
また、経路誘導プログラムは、上述した経路探索プログラムを実行することによって探索された誘導経路情報、通信Ｉ／Ｆ３１４によって取得されたナビゲーション装置３００の現在位置、光ディスク３０７から読み出された地図情報に基づいて、リアルタイムな経路誘導情報の生成をおこなわせる。経路誘導プログラムを実行することによって生成された経路誘導情報は、たとえばＣＰＵ３０１を介して音声Ｉ／Ｆ３０８や映像Ｉ／Ｆ３１２へ出力される。
【００４２】
また、音声生成プログラムは、音声パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこない、たとえばＣＰＵ３０１を介して音声Ｉ／Ｆ３０８へ出力する。
【００４３】
また、地図情報表示プログラムは、映像Ｉ／Ｆ３１２によってディスプレイ３１３に表示する地図情報の表示形式を決定させ、決定された表示形式によって地図情報をディスプレイ３１３に表示させる。
【００４４】
また、表示画面調整プログラムは、後述するＧＰＳユニット３１５や後述する各種センサ３１６などを利用して、ナビゲーション装置３００の利用者にとって見やすい画像を表示させるために表示調整をおこない、調整後の画像データを、ＣＰＵ３０１を介してディスプレイ３１３に出力する。
【００４５】
ＲＡＭ３０３は、たとえばＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記録する。
【００４６】
磁気ディスクドライブ３０４は、具体的には、たとえば、上述した表示画面調整プログラムによって生成された利用者への案内音声を、音声データとして磁気ディスク３０５に記録する。そして、磁気ディスク３０５としては、たとえば、ＨＤ（ハードディスク）やＦＤ（フレキシブルディスク）を用いることができる。
【００４７】
光ディスクドライブ３０６は、ＣＰＵ３０１の制御にしたがって光ディスク３０７に対するデータのリード／ライトを制御する。光ディスク３０７は、光ディスクドライブ３０６の制御にしたがって光ディスク３０７からデータの読み出される着脱自在な記録媒体である。この光ディスク３０７としては、書き込み可能な記録媒体を利用することもできる。また、着脱可能な記録媒体として、光ディスク３０７のほか、ＭＯ、メモリカードなどを用いることもできる。
【００４８】
これら磁気ディスク３０５、光ディスク３０７に記録される情報の一例として、後述するマイク３０９で得られた車内外の音声、後述する各種センサ３１６からの出力値などが挙げられる。また、これらの情報は、上述した表示画面調整プログラムなどに用いられる。
【００４９】
その他、磁気ディスク３０５、光ディスク３０７に記録される情報の一例として、経路探索・経路誘導などに用いられる地図情報が挙げられる。地図情報は、建物、河川、地表面などの地物（フィーチャ）をあらわす背景データと、道路の形状をあらわす道路形状データとを有しており、ディスプレイ３１３の表示画面において２次元または３次元に描画される。ナビゲーション装置３００が経路誘導中の場合は、地図情報と後述するＧＰＳユニット３１５によって取得された車両の現在位置を示す車両マークとが重ねて表示されることとなる。
【００５０】
道路形状データは、さらに交通条件データを有する。交通条件データには、たとえば、各ノードについて、信号や横断歩道などの有無、高速道路の出入口やジャンクションの有無、各リンクについての長さ（距離）、道幅、進行方向、道路種別（高速道路、有料道路、一般道路など）などの情報が含まれている。
【００５１】
また、交通条件データには、過去の渋滞情報が、季節・曜日・大型連休・時刻などを基準に統計処理した過去渋滞情報として記憶されている。このナビゲーション装置３００は、後述する通信Ｉ／Ｆ３１４によって受信される道路交通情報によって、たとえば現在発生している渋滞の情報を得るが、上述した過去渋滞情報を用いることによって、たとえば指定した時刻における渋滞状況の予想をおこなうことも可能である。
【００５２】
なお、本実施例では、地図情報を磁気ディスク３０５、光ディスク３０７などに記録するようにしたが、これに限るものではない。地図情報は、ナビゲーション装置３００のハードウェアと一体に設けられているものに限って記録されているものではなく、ナビゲーション装置３００の外部に設けられていてもよい。この場合、ナビゲーション装置３００は、たとえば、通信Ｉ／Ｆ３１４を通じて、ネットワークを介して地図情報を取得するようにしてもよい。こうして取得された地図情報は、たとえばＲＡＭ３０３などに記憶される。
【００５３】
また、音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。なお、スピーカ３１０は、車両の内部だけでなく、車両の外部に設けられていてもよい。このスピーカ３１０からは、音声Ｉ／Ｆ３０８からの音声信号に基づく音声が出力される。また、マイク３０９から入力された音声は、たとえば音声データとして磁気ディスク３０５あるいは光ディスク３０７に記録可能である。
【００５４】
そして、入力デバイス３１１は、文字、数値、各種指示などの入力のための複数のキーを備えたリモコン、キーボード、マウス、タッチパネルなどが挙げられる。
【００５５】
また、映像Ｉ／Ｆ３１２は、ディスプレイ３１３と接続される。この映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００５６】
ディスプレイ３１３には、アイコン、カーソル、メニュー、ウインドウ、あるいは文字や画像などの各種データが表示される。このディスプレイ３１３としては、たとえば、ＣＲＴ、ＴＦＴ液晶ディスプレイ、プラズマディスプレイなどを採用することができる。
【００５７】
また、ディスプレイ３１３は、表示画面調整プログラムによる表示調整指示に応じて表示画面の明るさに関するパラメータ（たとえば、輝度、コントラストなど）や、配色に関するパラメータ（たとえば、文字色、背景色など）を変化させることができる。
【００５８】
また、通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００５９】
ネットワークには、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：登録商標）／ビーコンレシーバ、無線ナビゲーション装置、およびその他のナビゲーション装置によって構成され、ＶＩＣＳセンターから配信される渋滞や交通規制などの道路交通情報を取得する。
【００６０】
また、ＧＰＳユニット３１５は、ＧＰＳ衛星からの受信波や後述する各種センサ３１６からの出力値を用いて、車両の現在位置（ナビゲーション装置３００の現在位置）を示す位置情報を算出する。現在位置を示す位置情報は、たとえば、緯度・経度、高度などの地図情報上の１点を特定する情報である。また、ＧＰＳユニット３１５は、各種センサ３１６からの出力値を用いて、オドメーター、速度変化量、方位変化量などを出力する。これにより、急ブレーキ、急ハンドルなどの車両の動態を解析することができる。
【００６１】
各種センサ３１６は、車速センサ、加速度センサ、角速度センサ、方位センサ、光センサなどであり、その出力値は、ＧＰＳユニット３１５による位置情報の算出や、速度や方位の変化量の測定に用いられたり、表示画面調整プログラムを実行する際の光の測定に用いられたりする。
【００６２】
なお、図１に示した実施の形態にかかる表示画面調整装置１００の機能的構成である測定部１０１は、具体的には、たとえばＣＰＵ３０１、磁気ディスク３０５、光ディスク３０７、各種センサ３１６によってその機能を実現する。また、光比較部１０２、特性抽出部１０３、調整部１０６は、具体的には、たとえばＣＰＵ３０１、ＲＡＭ３０３、磁気ディスク３０５、光ディスク３０７によって、それぞれの機能を実現する。また、表示画面１０７は、具体的には、たとえば、ＣＰＵ３０１、映像Ｉ／Ｆ３１２、ディスプレイ３１３によってその機能を実現する。
【００６３】
（外光および透過光の測定手法）
つぎに、図４および図５を用いて外光および透過光の測定手法について説明する。図４は、外光の測定手法の一例を示す説明図である。また、図５は、透過光の測定手法の一例を示す説明図である。
【００６４】
図４に示すように、本実施例のナビゲーション装置３００は、光センサとして受光素子４００を備えて構成されている。外光を測定する場合は、受光素子４００に対して入力された光をそのまま測定する。一方、透過光を測定する場合は、図５に示すように、受光素子４００の直上にサングラス５００をかざして透過した光を測定する。このようにして、受光素子４００に対して入力された外光および透過光をそれぞれ測定する。
【００６５】
（ナビゲーション装置の表示画面調整処理手順）
つぎに、本発明の実施例にかかるナビゲーション装置３００の表示画面調整処理手順の一例について説明する。図６は、本発明の実施例にかかるナビゲーション装置の表示画面調整処理手順の一例を示すフローチャートである。
【００６６】
図６のフローチャートにおいて、まず、ディスプレイ３１３を自動調整するか否かを判断する（ステップＳ６０１）。自動調整するか否かの判断は、利用者にディスプレイ３１３を自動調整するか否かの判断をおこなわせ、その判断結果に準ずる。具体的には、ナビゲーション装置３００の、スピーカ３１０やディスプレイ３１３を用いて「ナビゲーション画面の自動調整をおこないますか？」などの内容をあらわす旨の質問文を文字もしくは音声で報知する。また、あらかじめ、利用者による自動調整利用設定を磁気ディスク３０５に記録しておき、この設定に応じて自動的に判断してもよい。
【００６７】
ステップＳ６０１において、表示画面を自動調整しないと判断された場合は（ステップＳ６０１：Ｎｏ）、ナビゲーション装置３００において表示画面調整プログラムを実行させないため、そのまま一連の表示画面調整処理を終了する。
【００６８】
一方、ステップＳ６０１において、ディスプレイ３１３を自動調整すると判断された場合は（ステップＳ６０１：Ｙｅｓ）、まず、光センサによって外光を測定し（ステップＳ６０２）、つぎに、利用者がサングラス着用中か否かを判断する（ステップＳ６０３）。なお、サングラスは一例に過ぎず、その他ゴーグル、シールドなどを利用することもできる。
【００６９】
なお、ステップＳ６０３において、利用者がサングラス着用中か否かを判断するには、ステップＳ６０１の判断と同様に、利用者にサングラス着用中か否かの選択をおこなわせ、その選択結果に基づいて判断をおこなうようにすればよい。また、ここでも、あらかじめ表示画面調整プログラムの利用者の視界条件としてサングラス着用中であることを示す旨の設定をおこなってもよい。
【００７０】
ステップＳ６０３において、利用者がサングラス着用中ではないと判断された場合（ステップＳ６０３：Ｎｏ）は、利用者は、裸眼もしくは通常機能の眼鏡を着用していると判断されたこととなり、サングラスの特性をディスプレイ３１３の画像に反映させる必要はない。したがって、ステップＳ６０２による外光の測定結果に応じてディスプレイ３１３のコントラストを調整するためにバックライトを調整し（ステップＳ６０４）、一連の表示画面調整処理を終了する。
【００７１】
一方、ステップＳ６０３において、利用者がサングラス着用中であると判断された場合（ステップＳ６０３：Ｙｅｓ）、続いて、サングラスの特性を抽出するための処理に移る。まず、光センサにおいてサングラスを透過した光（以下、「サングラス透過光」という）の測定準備ができたか否かを判断する（ステップＳ６０５）。測定準備とは、具体的には、たとえば、表示画面調整プログラムにおいてステップＳ６０２で測定された外光と、これから測定する透過光を比較対象の光として紐付けする処理や、スピーカ３１０やディスプレイ３１３を用いて利用者に透過光の測定を呼びかけるメッセージを報知する処理である。
【００７２】
ステップＳ６０５において、サングラス透過光の測定準備ができたと判断されるまで待ち（ステップＳ６０５：Ｎｏのループ）、測定準備ができたと判断されると（ステップＳ６０５：Ｙｅｓ）、光センサによってサングラス透過光を測定する（ステップＳ６０６）。
【００７３】
つぎに、測定された外光とサングラス透過光とを比較してサングラスの透過率を算出し（ステップＳ６０７）、算出されたサングラスの透過率に応じてディスプレイ３１３のバックライトを調整する（ステップＳ６０８）。また、測定された外光とサングラス透過光とを比較してサングラスの色を認識し（ステップＳ６０９）、認識されたサングラスの色に応じてディスプレイ３１３の配色を調整し（ステップＳ６１０）、一連の表示画面調整処理を終了する。
【００７４】
なお、ステップＳ６０７およびステップＳ６０８の処理（バックライト調整処理）と、ステップＳ６０８およびステップＳ６０９の処理（配色調整処理）との処理手順は、上述したような順序とは限らない。したがって、順序が逆転しても、同時進行で処理されてもよい。また、本実施例では一例としてバックライトと配色とに関する調整を用いているが、他にも、コントラスト、濃淡などの表示に関する各種の調整項目の中から、任意の調整項目を選択して実行させることもできる。
【００７５】
また、上述した表示画面調整処理における表示調整では、より詳細に説明すると、透過率や色に応じた表示調整の設定値が生成され、この設定値を、ＣＰＵ３０１を介してディスプレイ３１３に反映させている。この表示調整の際に生成される設定値は、１種類に限らず、表示画面調整プログラムの設定に応じて、サングラスの特性に基づいた利用者にとって見やすいであろう表示調整を実現する複数種類の設定値が生成されてもよい。
【００７６】
利用者にとって見やすいであろう表示調整の設定値とは、実験的に求められた設定値が、あらかじめ表示画面調整プログラムに記録されている場合と、ナビゲーション装置３００において表示画面調整プログラムを実行した際の設定値の履歴をあらたに記録した場合とがある。しかしながら、真に利用者にとって見やすい映像とは、利用者の健康状態や、車両内の明るさなどに影響を受けるため、複数の設定値を実際にディスプレイ３１３に反映させ、実際に利用者に表示調整の反映内容を確認させたうえで、最適なものを選択させるようにしてもよい。
【００７７】
図７は、表示画面における画像の表示調整の一例を示す説明図である。ここでは、利用者に種々の表示調整されたサンプル画面を選択させて画像の表示調整をおこなう場合を例示している。図７のように、複数の配色（文字色、背景色）で同様の内容を表示させたサンプル画像７００をディスプレイ３１３に表示させる。
【００７８】
表示画面調整プログラムは、たとえば同一画面上に異なる設定値で表示調整されたサンプル画面７０１，７０２を表示させ、見やすいと感じるサンプル画面を利用者に選択させる。たとえば、サンプル画面７０１の方が見やすいと選択されると、サンプル画面７０２の表示されている位置に、あらたな設定値で表示調整されたサンプル画面を表示させ、さらに、見やすいと感じるサンプル画面を選択させる。このように利用者による選択を繰り返すことで、生成された設定値の中からもっとも見やすいであろう表示調整の設定値を選択することができる。
【００７９】
以上説明したように、本発明の表示画面調整装置、表示画面調整方法、表示画面調整プログラムおよび記録媒体によれば、利用者の視界の状況に応じて表示画面の画像の表示調整をおこなうことができる。したがって、視界の状況が変化しても、利用者にとって常に見やすい状態となるように画像の表示をおこなうことができる。
【００８０】
また、ナビゲーション装置３００は、一度、表示画面調整プログラムを実行した際のサングラスの特性を、たとえば識別子とともに磁気ディスク３０５や光ディスク３０７に記録することができる。識別子とは、通し番号や、アルファベット１文字などで構成される単純なものでもよいし、“父のサングラス１”、“○子のサングラス２”など、具体的な調整対象をあらわす複雑なものでもよい。利用者は、一度記録されたサングラスを着用してナビゲーション装置３００を利用する際には、まず、入力デバイス３１１によって識別子を選択する。
【００８１】
識別子が選択されると、ナビゲーション装置３００は、ＣＰＵ３０１を介して、磁気ディスク３０５や光ディスク３０７から、識別子に応じたサングラスの特性を読み出す。ナビゲーション装置３００は、読み出された特性と現在の外光の測定結果を用いて図６に示したステップＳ６０８およびステップＳ６１０の処理を実行する。したがって、即座に利用者にとって見やすいであろう画像を提供することができる。
【００８２】
なお、本実施の形態で説明した表示画面調整方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８３】
【図１】本実施の形態にかかる表示画面調整装置の機能的構成の一例を示すブロック図である。
【図２】本実施の形態にかかる表示画面調整装置の処理の内容の一例を示すフローチャートである。
【図３】本発明の実施例にかかるナビゲーション装置のハードウェア構成の一例を示すブロック図である。
【図４】外光の測定手法の一例を示す説明図である。
【図５】透過光の測定手法の一例を示す説明図である。
【図６】本発明の実施例にかかるナビゲーション装置の表示画面調整処理手順の一例を示すフローチャートである。
【図７】表示画面における画像の表示調整の一例を示す説明図である。
【符号の説明】
【００８４】
１００  表示画面調整装置
１０１  測定部
１０２  光比較部
１０３  特性抽出部
１０４  透過率算出部
１０５  色識別部
１０６  調整部
１０７  表示画面
【図１】
2007248749.tif 000003
【図２】
2007248749.tif 000004
【図３】
2007248749.tif 000005
【図４】
2007248749.tif 000006
【図５】
2007248749.tif 000007
【図６】
2007248749.tif 000008
【図７】
2007248749.tif 000009